(57)【要約】　　　（修正有）【課題】本発明は、水路や桝に落ちて流れ来る小動物や水中生息魚貝類が太陽光を好むものでも暗闇を好むものでも安心して昇降や生息できる様にしてなると共に泥溜深場に水性植物が繁茂する様にしてなるコンクリートプレキャスト水路及び水路交差工桝を提供する。【解決手段】陸生小動物の昇降と水性魚貝類の生息は４面側壁の縦長深場（泥溜）ボックスとし側壁に小動物が入られる広くて大きい開口部２−１と魚貝類の複数の貫通孔２−２を設け、この小動物用の開口部の端部より斜めに嵌設できるスロープを設け、これと天端蓋も太陽光取り入れられる製品と暗闇構築製品の２種類とし必要に応じこのを選択使用すると共に深場泥溜を設けて水性植物の繁茂する手段とする。【選択図】　図２
2004107934.tif 000002
【特許請求の範囲】
【請求項１】
コンクリートプレキャスト水路及び水路交差工桝において、水路側壁下流部又は桝の一面側壁に流れて来る小動物が入られる大開きとなす貫通開孔部を設け、ここに太陽光を取り入れられる小動物昇降用のスロープ版と暗闇トンネル構築のコンクリートスロープ版を交換出来て嵌設される様にしスロープ版下部の側壁には複数個の魚貝類貫通開口部を設けた泥溜深場構築の生態系ボックスとして構成し、水路対壁又は水路交差工桝の本体とジョイント組み合わせ水路又は水路交差工桝を構築し生態系ボックス部の天端にも太陽光を取り入れられる蓋版と必要に応じて暗闇構築のコンクリート蓋を交換して使用してなる生態系コンクリート水路及びコンクリート水路交差工桝。
【発明の詳細な説明】
【０００１】
【産業上の利用分野】
この出願発明は、水路や桝に落ちて流れて来る陸生小動物や水路や水路交差工桝に生息する魚貝類で明るさを好む種類と好まぬ種類の事を考慮して陸生小動物は安心してスロープを登り助けられる様にすると共に魚貝類も安心して生息できる様にしてなるコンクリートプレキャスト生態系水路及び生態系水路交差工桝に関する。
【０００２】
【従来の技術】
従来の水路や桝に落ちて流れ来る小動物を這い上がらせて助け、魚貝類の生息も考慮したプレキャスト製品は、本件発明者が考案したる
▲１▼　実用新案登録　第２５５６５８３号、
▲２▼　実用新案登録　第３０１９４９０号、
▲３▼　実用新案登録　第３０３２３０６号、
▲４▼　実用新案登録　第３０４０１９１号、
▲５▼　実用新案登録　第３０７５８６４号等があった。
【０００３】
しかし、これらの製品はいずれも昇降スロープも魚貝類の生息場も暗闇を好まない陸生小動物や小魚の事まで考慮した製品構成ではなかった。
又、光合成により泥溜深場に水草を繁茂させる様にした生態系にやさしい製品でもなかった。
【０００４】
そこで、いろいろな生態系にやさしいコンクリート製品を開発し、豊富な納入実績と施工現場の追跡調査の結果、水路や交差工桝に落ち最も助けたい陸生小動物のイナゴ、蛙、水中で最も生息させたいメダカ、トゲウオ（イバラトミヨ）は暗闇を嫌ってトンネルスロープや生息ボックスに入らない事を知り本発明の解決課題を次の様にしたものである。
【０００５】
【発明が解決しょうとする課題】
▲１▼　製品を施工する地域と現場によって、スロープを這い上がらせ助けたい陸生小動物や水中ボックスに生息させたい小魚で暗闇を嫌う種類が多く生息している事を考慮した製品の解決課題とすると共に反面、暗闇（トンネル）を好む陸生小動物や小魚も生息している事を考慮した製品構成課題とする。
【０００６】
▲２▼　生態系ボックス部は深場泥溜を構築すると共に陸生小動物の昇降開口部は大きく、広く、小魚の貫通孔は複数個設け、これらの開口部の深場泥溜部に光合成による水生植物の繁茂を容易なる製品構成課題とする。
【０００７】
▲３▼　製品の製造、運搬、施工の容易さを考慮し側壁の一辺を水路であれば、水路の一辺の側壁を兼ね、交差工落水桝であれば桝の一辺の側壁を兼ねたボックス状とし、ボックスの天端蓋は太陽光の取り入れられる製品と暗闇を構成する蓋の２種類とし、生態系部分の小動物の昇降スロープも太陽光の取り入れられ製品と暗闇を構築する２種類の着脱容易な嵌設スロープとし、製品全体は、ボックスの側壁底部と製品本体の底版部でジョイント手段をもって合体してなる構成課題とする。
【０００８】
▲４▼　蓋とスロープは、太陽光の取り入れられるものと暗闇で構築されるものが現場で容易に交換できる構成課題とすると共にスロープの下に生息する小魚、水性昆虫、貝類の追跡調査も容易にできる課題とする。
【０００９】
以上の構成課題を考慮しつつ本発明の解決しようとする手段を次ぎの様にしたものである。
【発明が解決しょうとする手段】
【００１０】
この出願発明は、水路であれば水路製品の本体をＬ型状（水路の底版部と一方の側壁を一体）とし、桝であれば４面の１面側壁を側壁部を除いたものとし、陸生小動物の昇降と小魚や水性昆虫、貝類の生息の生態系部をボックス状にし、スロープをこのボックス内に太陽光を取り入れられる製品と暗闇を構築できる２種類の製品で選択嵌設して斜面構成とし、小魚や水性昆虫、貝類の追跡調査時には、これを引き起こして中の生息状態を容易に確認できる様にすると共に天端の蓋も太陽光を取り入れられる蓋と太陽光を取り入れ無い２種類の蓋として容易に選択施工できる手段とする。
【００１１】
【発明の実施の形態】
▲１▼　この出願発明、コンクリートプレキャスト水路又は水路交差工桝に於いて陸生小動物の昇降あるいは水中魚貝類の生息で昇降路あるいは水中生息の場に太陽光を取り入れられる生態系製品と太陽光を取り入れない生態系製品の２種類である事が好ましいし、この２種類の組み合わせ製品が容易に構築できる事が好ましい。
【００１２】
▲２▼　生態系構築部が水路にも桝にも使用できる手段とする事が好ましい。
【００１３】
▲３▼　太陽光を取り入れられる製品構成と太陽光を取り入れない製品の組み合わせ構成とし、深場泥溜が有って、ここに光合成により水性植物が繁茂している事が好ましい。
【００１４】
▲４▼　排水路又は排水交差工桝では、地下水の湧水、又は地下水還元製品も考慮している事が好ましい。
▲５▼　生息小魚、水性昆虫、貝類の生息追跡調査が容易に且つ正確に確認できる事が好ましい。
【００１５】
【発明の実施例】
つぎに、この出願発明を実施例により説明するが、この出願発明は実施例に限定されるものではない。
【００１６】
図１は、この出願発明の太陽光取り入れられるスロープと蓋、それに暗闇スロープと暗闇構築蓋の概要斜視図に全体の施工状態を示す施工概要断面斜視図であり、図２は、この出願発明の水路交差工桝に施工する要部組み立て製品の概要を示しての施工概要断面斜視図であり、図３は、勾配を有する環境水路の要所要所に施工した実施例の概要断面斜視図であり、図４は、地下水還元環境水路の要所要所に施工した実施例の概要断面斜視図である。
【００１７】
【実施例】
まず、図１のコンクリートプレキャスト水路の実施例で説明すると、深場泥溜の深さｈ．を構成できるボックス状の生態系ボックスＡ．の前面壁に対設して水路を構築するＬ型水路Ｄ．の端部ジョイント鉄筋１−２．と同じ高さに生態系ボックスＡ．のジョイント鉄筋１−１．を露出させ、生態系ボックスＡ．の前面側壁の下流に小動物が流れ入る大きな開口部２−１．を設け、この開口部２−１．の上流端部からボックスＡ．の上流天端までに太陽光を取り入れられるスロープ版Ｂ−１．（普通はエキスパンダーか中を腐食しない格子材で輪郭をコンクリート固めた版）を嵌設し、このスロープ版Ｂ−１．の下（傾斜三角部）に複数個の魚貝類の貫通孔２−２．を設け、泥溜深場構築の開口部２−１．と貫通孔２−２．には、水性植物３．が繁茂する様にする。
又、開口部生態系ボックスＡ．の天端には昇降する陸生小動物の貫通できる巾ｂ．（陸生小動物の通路隙間）だけ短くした太陽光を取り入れられる蓋Ｃ−１．（１枚か複数枚で構成しても良い）をボックスＡ．に架けて構築するものであるが、最初に生態系ボックスＡ．を施工し、適当な高さ（水路底版部）まで切り込み砂利か栗石Ｇ．で固め、ここに対壁を構築するＬ型水路Ｄ．の端部ジョイント鉄筋１−２．と生態系ボックスＡ．のジョイント鉄筋１−１．を結合し、ここにジョイントコンクリート４．を打設して太陽光を取り入れた陸生小動物昇降スロープと太陽光が届く小魚、水性昆虫、貝類の生息場の製品として全体を構築するものである。
【００１８】
又、太陽光を取り入れない暗闇（トンネル）を好む陸生小動物のスロープと暗闇を好む小魚、水性昆虫、貝類の生息場とする時は、スロープをコンクリート蓋Ｃ−２．とコンクリートスロープＢ−２．を嵌設して構築し、陸生小動物が太陽光を好み小魚、水性昆虫、貝類の生息場を暗闇とするには、生態系ボックスＡ．の天端の蓋を太陽光取り入れられるスロープ版Ｂ−１．とし、スロープをコンクリート蓋Ｃ−２．として構築するものである。この様な場合でも泥溜深場構築の開口部２−１．と貫通孔２−２．には、水性植物３．が繁茂する様にする。
【００１９】
次に、図２．の２〜３方向の導水路又は排水路Ｅ．より流水され、落水分水される水路交差工桝Ｆ．の実施例（太陽光の取り入れ）で説明すると、最初から泥溜深さｈ．を有する（上下流又は横より取り付けられる水路Ｅ．の底版部より深く構成）水路交差工桝Ｆ．に一方の側壁と合わせて構成できる生態系ボックスＡ．の端部ジョイント鉄筋１−２．と同じ高さにジョイント鉄筋１−１．を露出させ、生態系ボックスＡ．の前面側壁に陸生小動物が落ちて流れ入る大きな開口部２−１．を設け、この開口部２−１．の延長上にボックスＡ．の天端までに太陽光を取り入れられるスロープＢ−１．（普通はエキスパンダーか中に腐食しない格子材で輪郭をコンクリートで固めた版）を嵌設し、このスロープの下に複数個の魚貝類の貫通孔２−２．を設け、昇降する陸生小動物の貫通できる巾ｂ．（陸生小動物の通路隙間）だけ短くした太陽光を取り入れられる蓋Ｃ−１．（１枚か複数枚で構成しても良い）を生態系ボックスＡ．に架けて太陽光を取り入れた小動物昇降スロープ版Ｂ−１．と太陽光が届く小魚、水性昆虫、貝類の生息場の生態系ボックスの水路交差工桝として構築するものである。
【００２０】
又、図示した図３の勾配を有する勾配環境水路Ｄ−１．と図４の地下水還元環境水路Ｄ−３．の実施例で説明すると、生態系ボックスＡ．を深場泥溜の深さｈ．を有した台形生態系ボックスＡ．とし、勾配Ｌ型環境水路Ｄ−２．と組み合わせ一体化し、スロープ版Ｂ−１．は、台形生態系ボックスＡ．に合わせた、台形のスロープＢ−１．とし、太陽光を取り入れた陸生小動物昇降スロープと太陽光が届く小魚、水性昆虫、貝類の生息場とする時は、太陽光を取り入れられる蓋Ｃ−１．（図３の実施例ではコンクリート製で多孔開口部蓋）と太陽光を取り入れられるスロープ版Ｂー１．を使用し、いずれも暗闇とする場合は、コンクリート蓋Ｃ−２．とコンクリートスロープ版Ｂ−２．（陸生小動物昇降容易な粗面版）として構築するものである。
【００２１】
図４の湧水、地下水還元環境水路Ｄ−３．では、勾配Ｌ型環境水路Ｄ−４．の底版に開孔部を設けて水路生態系ボックスＡ．の底版部が要所要所の開孔か全面開孔部（底抜き）と成って玉石Ｇ−１．（水路流速で切り込み砂利か栗石でも良い）を入れる以外は、上記「００２０」記載の図３説示と技術的には同じ構築方法であので、この実施例の説明は省略する。
【００２２】
本発明を実施例の様に構成する事により次の様な作用・効果がある。
【発明の作用・効果】
【００２３】
▲１▼　この出願発明、生態系ボックスに蓋版とスロープ版で、太陽光を取り入れられる製品と暗闇（トンネル）構築の製品が有り、嵌設構築となっているので、助けたい陸生小動物、水中に生息させたい小魚、水性昆虫、貝類で選択施工ができると同時に季節よって助けたい陸生小動物の種類で違う場合でも容易に対応が可能である。
【００２４】
▲２▼　生態系構築部として、水路、水路交差工桝の違いが有っても壁面高さが同じでありば、水路にも桝にも施工が可能なばかりか勾配環境製品にも実施出来、図示してないが、水路に於いて生態系ボックスを連続して施工する事により、より生態系の配慮効果が大きい。
【００２５】
▲３▼　生態系ボックス部が深場泥溜と成って大きく広い開孔部と成っているので、光合成による水性植物の繁茂が容易である。
植物が繁茂する事は開口部の流速が抑制されるので、水路や桝に落ちて流れ来る陸生小動物にとっては、しがみつきが容易である。
【００２６】
▲４▼　魚貝類貫通孔部に於いても、深場泥溜が構築されて水性植物が繁茂できる様に成っている事は、小魚、水性昆虫、貝類としても餌場でもあり、隠れ場としても最適である。
【００２７】
▲５▼　普通水路（用水路）や普通水路交差工桝以外の排水路又は排水交差工桝では、図示してないが生態系ボックスの底版部（床版）を開孔部（底抜き）製品として製造し、地下水の湧水、又は地下水還元の生態系構築製品としても提供出来ものである。
【００２８】
▲６▼　小動物昇降のスロープ版が生態系ボックス天端端部（上流天端端部）に斜め嵌設として構築されており、蓋も上蓋、あるいは嵌設となっているのでボックスに生息する小魚、貝類、水性昆虫の生息追跡調査時は、最初に開口部と貫通孔の前面を閉ざして（生息魚貝類を逃がしない様に遮断）、ボックス上の蓋を取り除き、スロープを起こす事により正確に容易なる生息調査が可能である。
加えて、この開口部と貫通孔を完全密閉する事も容易な為に生態系ボックス内の陸として生態系調査もできるものである。
【図面の簡単な説明】
【図１】この出願発明の太陽光の取り入れスロープと蓋、それに暗闇構築スロープと蓋の概要斜視図に施工状態を示す施工概要断面斜視図。
【図２】水路交差工桝に施工する要部組み立て製品の概要を示しての施工概要断面斜視図。
【図３】勾配を有する環境水路に施工した実施例の概要断面斜視図。
【図４】地下水還元環境水路に施工した実施例の概要断面斜視図。
【符号の説明】
Ａ　　　生態系ボックス
ｂ　　　陸生小動物の貫通できる巾
Ｂ−１　太陽光の取り入れられるスロープ版
Ｂ−２　コンクリートスロープ版（暗闇構築）
Ｃ−１　太陽光取り入れられる蓋
Ｃ−２　コンクリートス版（暗闇構築）
Ｄ　　　Ｌ型水路
Ｄ−１　勾配環境水路
Ｄ−２　勾配Ｌ型環境水路
Ｄ−３　地下水還元環境水路
Ｄ−４　地下水還元環境Ｌ型水路
Ｅ　　　導水路又は排水路
Ｆ　　　水路交差工桝
Ｇ　　　切り込み砂利か栗石
Ｇ−１　玉石（水路流速で切り込み砂利か栗石でも良い）
ｈ　　　深場泥溜深さ
１−１　ジョイント鉄筋（生態系ボックス）
１−２　ジョイント鉄筋（Ｌ型水路又は桝）
２−１　開口部（陸生小動物入り口）
２−２　魚貝類の貫通孔
３　　　水性植物
４　　　ジョイントコンクリート
【図１】
2004107934.tif 000003
【図２】
2004107934.tif 000004
【図３】
2004107934.tif 000005
【図４】
2004107934.tif 000006